(57)【要約】【課題】コンテンツの管理を容易にすることができるようにする。【解決手段】書き込み部５６は、コンテンツを蓄積している蓄積部５５の記憶容量のリミットに達する前に、そのコンテンツを光ディスク７１に書き込む。管理情報生成部６０は、コンテンツが書き込まれた光ディスクを特定する管理情報を生成し、記憶部６１に記憶させ、印刷部５８は、生成された管理情報に対応する識別情報を光ディスク７１のレーベル面に印刷することで、コンテンツの管理を容易にすることができるようになる。本発明は、コンテンツを蓄積する機器に適用できる。【選択図】図３
2009026025.tif 000002
【特許請求の範囲】
【請求項１】
コンテンツを蓄積する記録装置において、
前記コンテンツを蓄積している蓄積手段の記憶容量がリミットに達する前に、蓄積していた前記コンテンツを記録媒体に書き込む第１の書き込み手段と、
前記コンテンツが書き込まれた前記記録媒体を特定するための管理情報を生成する生成手段と、
生成された前記管理情報を記憶する記憶手段と、
生成された前記管理情報に対応する、前記記録媒体を利用者に識別させるための識別情報を前記記録媒体に書き込む第２の書き込み手段と
を備える記録装置。
【請求項２】
複数の記録媒体を同時に装填できるチェンジャをさらに備え、
前記チェンジャは、同時に装填された前記複数の記録媒体のなかから、記憶容量に余裕のある所定の記録媒体を選択し、
前記第１の書き込み手段は、蓄積していた前記コンテンツを、選択された記録媒体に書き込む
請求項１に記載の記録装置。
【請求項３】
前記第２の書き込み手段は、前記記録媒体の所定の領域に前記識別情報を印刷する
請求項１に記載の記録装置。
【請求項４】
記憶されている前記管理情報を表示する表示手段をさらに備える
請求項１に記載の記録装置。
【請求項５】
前記第１の書き込み手段は、生成された前記管理情報を前記記録媒体に書き込む
請求項４に記載の記録装置。
【請求項６】
前記記録媒体が装填されたとき、前記記録媒体に書き込まれた前記管理情報を読み出す読み出し手段をさらに備え、
前記表示手段は、読み出された前記管理情報を表示する
請求項５に記載の記録装置。
【請求項７】
前記記録媒体は、光ディスクまたは半導体メモリである
請求項１に記載の記録装置。
【請求項８】
前記管理情報は、前記コンテンツのタイトル、識別ID、または記録日時である
請求項１に記載の記録装置。
【請求項９】
前記識別情報は、文字または画像である
請求項１に記載の記録装置。
【請求項１０】
コンテンツを蓄積する記録装置の記録方法において、
前記コンテンツを蓄積している蓄積手段の記憶容量がリミットに達する前に、蓄積していた前記コンテンツを記録媒体に書き込み、
前記コンテンツが書き込まれた前記記録媒体を特定するための管理情報を生成し、
生成された前記管理情報の記憶を制御し、
生成された前記管理情報に対応する、前記記録媒体を利用者に識別させるための識別情報を前記記録媒体に書き込む
ステップを含む記録方法。
【請求項１１】
コンテンツを蓄積している蓄積手段の記憶容量がリミットに達する前に、蓄積していた前記コンテンツを記録媒体に書き込み、
前記コンテンツが書き込まれた前記記録媒体を特定するための管理情報を生成し、
生成された前記管理情報の記憶を制御し、
生成された前記管理情報に対応する、前記記録媒体を利用者に識別させるための識別情報を前記記録媒体に書き込む
ステップを含む処理を、コンピュータに実行させるプログラム。
【発明の詳細な説明】
【技術分野】
【０００１】
本発明は、記録装置および方法、並びにプログラムに関し、特に、コンテンツの管理を容易にすることができるようにした記録装置および方法、並びにプログラムに関する。
【背景技術】
【０００２】
近年、HDD（Hard Disk Drive）レコーダ、DVD（Digital Versatile Disc）レコーダ、またはチューナ付パーソナルコンピュータ等が普及している。これらの機器では、放送映像コンテンツ等を本体内のHDD等に貯めることができるので、その番組が放送された後、または後を追うように（いわゆる追いかけ再生）、その放送を視聴するスタイルが急速に広まっている。
【０００３】
このような視聴スタイルは、使用者にとっては、放送時間に縛られないという大きな利点があるものの、どれだけの映像コンテンツを貯めることができるかというのは、本体内のHDD等の記憶容量に依存している。このスタイルに慣れている使用者にとっては、貯められるコンテンツは多ければ多いほど良いのであり、さらに、近年ではHD（high definition）画質のコンテンツも一般的になっており、HDDの記憶容量の増加にかかる期待は大きくなっている。
【０００４】
その解決方法の１つとして、例えば、本体内のHDDの記憶容量が一杯になる前に外付のHDDを増設する手段が考えられるが、これは所詮、HDDの限界容量を増加させているだけに過ぎない。また、この方法を採用すると、外付のHDDが数珠繋ぎになって、消費電力が増加すること繋がり、根本的な解決方法とはなっていない。
【０００５】
本出願人は、このような問題を解決する手段として、複数のテープカセットに収納されている磁気テープにデータを記録する記録再生装置を先に提案している（例えば、特許文献１参照）。
【０００６】
先の提案においては、チェンジャによって、複数のテープカセットが選択され、そのテープカセットに収納されている磁気テープに対してデータが記録されるので、テープカセットを適宜追加することで、大容量のデータを記録することが可能となる。
【特許文献１】特開２００１−２８３５６３号公報
【発明の開示】
【発明が解決しようとする課題】
【０００７】
しかしながら、大容量のストレージには、膨大な数のコンテンツが記録できるので、その管理が煩雑になり、利用者にとっては、所望のコンテンツを探し出すことが困難になるという問題があった。
【０００８】
例えば、上記特許文献１に開示された発明では、テープカセットを順次追加することで、膨大な数のコンテンツを記録することは可能になるものの、記録されている膨大な数のコンテンツのなかから、所望のコンテンツを迅速に見つけ出せるとは言い難い状況である。
【０００９】
本発明はこのような状況に鑑みてなされたものであり、コンテンツの管理を容易にして、所望のコンテンツを迅速に見つけることができるようにするものである。
【課題を解決するための手段】
【００１０】
本発明の一側面の記録装置は、コンテンツを蓄積する記録装置において、前記コンテンツを蓄積している蓄積手段の記憶容量がリミットに達する前に、蓄積していた前記コンテンツを記録媒体に書き込む第１の書き込み手段と、前記コンテンツが書き込まれた前記記録媒体を特定するための管理情報を生成する生成手段と、生成された前記管理情報を記憶する記憶手段と、生成された前記管理情報に対応する、前記記録媒体を利用者に識別させるための識別情報を前記記録媒体に書き込む第２の書き込み手段とを備える。
【００１１】
記録装置は、独立した装置であってもよいし、記録再生装置の記録処理を行うブロックであってもよい。
【００１２】
複数の記録媒体を同時に装填できるチェンジャをさらに設け、前記チェンジャには、同時に装填された前記複数の記録媒体のなかから、記憶容量に余裕のある所定の記録媒体を選択させ、前記第１の書き込み手段には、蓄積していた前記コンテンツを、選択された記録媒体に書き込ませることができる。
【００１３】
前記第２の書き込み手段には、前記記録媒体の所定の領域に前記識別情報を印刷させることができる。
【００１４】
記憶されている前記管理情報を表示する表示手段をさらに設けることができる。
【００１５】
前記第１の書き込み手段には、生成された前記管理情報を前記記録媒体に書き込ませることができる。
【００１６】
前記記録媒体が装填されたとき、前記記録媒体に書き込まれた前記管理情報を読み出す読み出し手段をさらに設け、前記表示手段には、読み出された前記管理情報を表示させることができる。
【００１７】
前記記録媒体は、光ディスクまたは半導体メモリであるようにすることができる。
【００１８】
前記管理情報は、前記コンテンツのタイトル、識別ID、または記録日時であるようにすることができる。
【００１９】
前記識別情報は、文字または画像であるようにすることができる。
【００２０】
本発明の一側面の記録方法は、コンテンツを蓄積する記録装置の記録方法において、前記コンテンツを蓄積している蓄積手段の記憶容量がリミットに達する前に、蓄積していた前記コンテンツを記録媒体に書き込み、前記コンテンツが書き込まれた前記記録媒体を特定するための管理情報を生成し、生成された前記管理情報の記憶を制御し、生成された前記管理情報に対応する、前記記録媒体を利用者に識別させるための識別情報を前記記録媒体に書き込むステップを含む。
【００２１】
本発明の一側面のプログラムは、コンテンツを蓄積している蓄積手段の記憶容量がリミットに達する前に、蓄積していた前記コンテンツを記録媒体に書き込み、前記コンテンツが書き込まれた前記記録媒体を特定するための管理情報を生成し、生成された前記管理情報の記憶を制御し、生成された前記管理情報に対応する、前記記録媒体を利用者に識別させるための識別情報を前記記録媒体に書き込むステップを含む処理を、コンピュータに実行させる。
【００２２】
本発明の一側面においては、コンテンツを蓄積している蓄積手段の記憶容量がリミットに達する前に、蓄積していたコンテンツが記録媒体に書き込まれ、コンテンツが書き込まれた記録媒体を特定するための管理情報が生成され、生成された管理情報が記憶され、生成された管理情報に対応する、記録媒体を利用者に識別させるための識別情報が記録媒体に書き込まれる。
【発明の効果】
【００２３】
以上のように、本発明の一側面によれば、コンテンツの管理を容易にして、所望のコンテンツを迅速に見つけることができる。
【発明を実施するための最良の形態】
【００２４】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２５】
本発明の一側面の記録装置は、
コンテンツを蓄積する記録装置（例えば、図３のデータストレージ装置１２）において、
前記コンテンツ（例えば、図３のコンテンツ）を蓄積している蓄積手段（例えば、図３の蓄積部５５）の記憶容量がリミットに達する前に、蓄積していた前記コンテンツを記録媒体（例えば、図３の光ディスク７１1乃至光ディスク７１n）に書き込む第１の書き込み手段（例えば、図３の書き込み部５６）と、
前記コンテンツが書き込まれた前記記録媒体を特定するための管理情報を生成する生成手段（例えば、図３の管理情報生成部６０）と、
生成された前記管理情報（例えば、図３の管理情報）を記憶する記憶手段（例えば、図３の記憶部６１）と、
生成された前記管理情報に対応する、前記記録媒体を利用者に識別させるための識別情報を前記記録媒体に書き込む第２の書き込み手段（例えば、図３の印刷部５８）と
を備える。
【００２６】
複数の記録媒体を同時に装填できるチェンジャ（例えば、図３のチェンジャ５９）をさらに備え、
前記チェンジャは、同時に装填された前記複数の記録媒体のなかから、記憶容量に余裕のある所定の記録媒体を選択し（例えば、図４のステップＳ３０の処理）、
前記第１の書き込み手段は、蓄積していた前記コンテンツを、選択された記録媒体に書き込む（例えば、図４のステップＳ２４の処理）
請求項１に記載の記録装置。
【００２７】
前記第２の書き込み手段は、前記記録媒体の所定の領域（例えば、光ディスク７１のレーベル面）に前記識別情報を印刷する（例えば、図４のステップＳ２８の処理）。
【００２８】
記憶されている前記管理情報を表示する表示手段（例えば、図３の表示部５３）をさらに備える。
【００２９】
前記第１の書き込み手段は、生成された前記管理情報を前記記録媒体に書き込む（例えば、図４のステップＳ２７の処理）。
【００３０】
前記記録媒体が装填されたとき、前記記録媒体に書き込まれた前記管理情報を読み出す読み出し手段（例えば、図３の読み出し部５７）をさらに備え、
前記表示手段は、読み出された前記管理情報を表示する。
【００３１】
本発明の一側面の記録方法は、
コンテンツを蓄積する記録装置（例えば、図３のデータストレージ装置１２）の記録方法において、
前記コンテンツを蓄積している蓄積手段（例えば、図３の蓄積部５５）の記憶容量がリミットに達する前に、蓄積していた前記コンテンツ（例えば、図３のコンテンツ）を記録媒体（例えば、図３の光ディスク７１1乃至光ディスク７１n）に書き込み（例えば、図４のステップＳ２４の処理）、
前記コンテンツが書き込まれた前記記録媒体を特定するための管理情報を生成し（例えば、図４のステップＳ２５の処理）、
生成された前記管理情報（例えば、図３の管理情報）の記憶を制御し（例えば、図４のステップＳ２６の処理）、
生成された前記管理情報に対応する、前記記録媒体を利用者に識別させるための識別情報を前記記録媒体に書き込む（例えば、図４のステップＳ２８の処理）
ステップを含む。
【００３２】
本発明の一側面のプログラムは、上述した本発明の一側面の記録方法に対応するプログラムであって、例えば、図９の構成のコンピュータにより実行される。
【００３３】
以下、図面を参照しながら本発明の実施の形態について説明する。
【００３４】
図１は、本発明を適用したコンテンツ記録再生システム１の一実施の形態の構成を示すブロック図である。このコンテンツ記録再生システム１においては、録画機１１と、データストレージ装置１２とがケーブル１３を介して接続され、録画機１１と、表示装置１４とがケーブル１５を介して接続されている。
【００３５】
コンテンツ記録再生システム１においては、各種のコンテンツが蓄積され、その蓄積されたコンテンツが再生される。かかるコンテンツは、例えば、動画、静止画、または音楽等の情報である。本実施の形態では、それらの情報のうち、動画をコンテンツの一例として説明する。
【００３６】
録画機１１は、例えば、HDDレコーダ、DVDレコーダ、またはパーソナルコンピュータ等のコンテンツを録画したり、再生したりする機器である。録画機１１に蓄積されたコンテンツは、例えば、テレビジョン受像機等のコンテンツを表示する機器である表示装置１４に表示される。
【００３７】
データストレージ装置１２は、例えば、HDDを搭載した書き込み型の光ディスクチェンジャ（以下、単に、チェンジャと称する）等の、録画機１１から出力されたコンテンツを蓄積する機器である。すなわち、コンテンツ記録再生システム１においては、録画機１１で蓄積できるコンテンツには限度があるので、その限界容量を補うために膨大な数のコンテンツを蓄積可能なデータストレージ装置１２が設けられている。
【００３８】
なお、データストレージ装置１２は、チェンジャに限らず、例えば、HDDレコーダ、DVDレコーダ等であってもよい。
【００３９】
以上のような構成を有することで、コンテンツ記録再生システム１において、録画機１１とデータストレージ装置１２との間では、コンテンツを移動させる処理が行われる。
【００４０】
なお、録画機１１はコンテンツを録画して蓄積するというメインの処理を行うので、主機とも称する。また、データストレージ装置１２は、録画機１１に蓄積されたコンテンツのバックアップをするというサブ的な処理を行うので、副機とも称して説明する。
【００４１】
また、本実施の形態では、図１に示すように、主機である録画機１１と、副機であるデータストレージ装置１２とを、別の機器として説明するが、それらの主機と副機を一体にして、１つの機器としてもよい。さらにまた、本実施の形態では、主機である録画機１１と、副機であるデータストレージ装置１２とがケーブル１３によって接続されているとして説明するが、それらの主機と副機は、例えば、IEEE（Institute of Electrical and Electronics Engineers）802.11a、802.11b、若しくは802.11gなどの規格に準拠した無線LAN（Local Area Network）、有線のLAN、またはインターネット等のネットワークを介して接続されていてもよい。
【００４２】
図２は、図１の録画機１１の構成の例を示すブロック図である。
【００４３】
図２の例の録画機１１において、CPU（Central Processing Unit）２１は、ROM（Read Only Memory）２２に記憶されているプログラム、または記録部（図示せず）からRAM（Random Access Memory）２３にロードされたプログラムに従って、各種の処理を実行し、録画機１１の各部を制御する。RAM２３にはまた、CPU２１が各種の処理を実行する上において必要なデータ等が適宜記憶される。
【００４４】
CPU２１、ROM２２、およびRAM２３は、バス２４を介して相互に接続されている。このバス２４にはまた、コンテンツ処理部２５および蓄積部２６が接続されている。
【００４５】
コンテンツ処理部２５は、放送局から放送される各放送番組（コンテンツ）を受信（取得）できるように構成されている。コンテンツ処理部２５は、チューナ４１、A/D（Analog/Digital）変換部４２、およびエンコーダ４３を含むようにして構成される。
【００４６】
チューナ４１は、図示せぬアンテナに受信された、例えば地上波または衛星波のテレビジョン放送等の放送電波を復調し、その結果得られる映像信号と音声信号をA/D変換部４２に供給する。
【００４７】
すなわち、CPU２１により指定されたチャンネルの放送電波、より正確には、そのチャンネルが割り当てられた放送局から放送された放送番組を構成する電波がアンテナに受信されると、チューナ４１は、それを復調して、その結果得られるアナログの映像信号と音声信号をA/D変換部４２に供給する。
【００４８】
A/D変換部４２は、チューナ４１から供給されたアナログの映像信号と音声信号に対して、アナログ信号をデジタル信号に変換する処理を施し、その結果得られるデジタルの映像信号と音声信号をエンコーダ４３に供給する。なお、以下、A/D変換部４２から出力されるデジタル信号、すなわち、所定の放送番組を構成するデジタルの映像信号と音声信号とをまとめて、コンテンツデータと称する。
【００４９】
エンコーダ４３は、A/D変換部４２から供給されるコンテンツデータを、例えばMPEG（Moving Picture Experts Group）方式でエンコード（圧縮符号化）した上で、蓄積部２６に供給する。なお、以下、エンコーダ４３から出力されるエンコード済みのコンテンツデータを、圧縮コンテンツデータと称する。
【００５０】
蓄積部２６は、例えばHDD等からなり、コンテンツ処理部２５から供給される圧縮コンテンツデータを、所定のファイル形式で記録し、蓄積する。すなわち、蓄積部２６には、圧縮コンテンツデータを含むファイルが記録される。さらに、蓄積部２６には、録画された放送番組の番組情報（メタデータ）も記録される。
【００５１】
CPU２１にはまた、バス２７にも接続されており、このバス２７にはまた、入力部２８、出力部２９、外部AV（Audio Video）出力部３０、受光部３１、および通信部３２が接続されている。
【００５２】
CPU２１は、スイッチ等の入力部２８から入力される指令、または、図示せぬリモートコントローラからのコマンドを受信する受光部３１から入力される指令に対応して各種の処理を実行する。CPU２１は、その処理の結果得られた画像や音声等を出力部２９または外部AV出力部３０に出力する。
【００５３】
外部AV出力部３０は、CPU２１の制御に基づいて、蓄積部２６に記録されたファイルに対応するコンテンツや、コンテンツに対応する情報等を、外部のデータストレージ装置１２および表示装置１４に出力する。
【００５４】
通信部３２は、通信網、インターネット、その他のネットワーク、または通信媒体を介して外部の装置と通信する。また、通信部３２を介してプログラムを取得し、記録部（図示せず）に記録してもよい。
【００５５】
さらに、バス２７には、必要に応じてドライブ３３が接続され、磁気ディスク、光ディスク、光磁気ディスク、または半導体メモリ等のリムーバブルメディア３４が適宜装着され、それらから読み出されたコンピュータプログラムが、必要に応じて記録部（図示せず）にインストールされる。
【００５６】
図３は、図１のデータストレージ装置１２の構成の例を示すブロック図である。
【００５７】
データストレージ装置１２は、コントローラ５１、入力部５２、表示部５３、通信部５４、蓄積部５５、書き込み部５６、読み出し部５７、印刷部５８、チェンジャ５９、管理情報生成部６０、および記憶部６１を含むようにして構成される。なお、図３において、実線で囲まれた四角は、装置の構成要素としてのブロックを示し、点線で囲まれた四角は、所定の情報を示している。
【００５８】
順不同に説明すると、コントローラ５１は、データストレージ装置１２の各部の動作を制御する。コントローラ５１は、スイッチ等の入力部５２から入力される指令、または、図示せぬリモートコントローラからのコマンドを受信する受光部（図示せず）から入力される指令に対応して各種の処理を実行する。
【００５９】
表示部５３は、例えば、LCD(Liquid Crystal Display)や有機ELディスプレイ（Organic Electroluminescence Display）からなり、コントローラ５１による制御に従って、コンテンツに関係する情報を表示する。
【００６０】
なお、本実施の形態では、説明を簡略化するために、各種の情報が表示部５３に表示されるとして説明するが、図１に示したように、それらの情報は、録画機１１を介して、テレビジョン受像機等からなる表示装置１４に表示させてもよく、その場合には、表示部５３を設けない構成としてもよい。
【００６１】
通信部５４は、コントローラ５１の制御に従って、録画機１１から出力されたコンテンツや、コンテンツ対応する情報等を取得し、コントローラ５１に供給する。
【００６２】
蓄積部５５は、例えばHDD等からなり、コントローラ５１から供給されるコンテンツや、コンテンツに対応する情報（例えば録画された放送番組の番組情報（メタデータ））を記録し、蓄積する。すなわち、蓄積部５５には、録画機１１で録画されたコンテンツと、そのコンテンツの番組情報（メタデータ）が蓄積される。
【００６３】
なお、蓄積部５５に蓄積されるコンテンツは、圧縮コンテンツデータを含む所定のファイル形式からなるファイルとして記録されるが、本実施の形態では、説明を簡略化するために、その記録されているファイルもコンテンツと称して説明する。
【００６４】
チェンジャ５９には、複数の光ディスク（光ディスク７１1乃至光ディスク７１n）が同時に装填され、同時に装填された光ディスク７１1乃至光ディスク７１nのなかから、例えば、記憶容量に余裕のある所定の光ディスクを選択する。
【００６５】
光ディスク７１1乃至光ディスク７１n（ｎは自然数）は、例えば、CD-ROM(Compact Disc-Read Only Memory)，DVD，Blu-Ray Disc（商標）等の光ディスクであって、データを書き込み可能なディスクである。以下の説明において、光ディスク７１1乃至光ディスク７１nは、特に区別する必要がない場合、単に、光ディスク７１と称する。
【００６６】
なお、本実施の形態では、チェンジャ５９に収納される記録媒体の一例として、光ディスク７１について説明するが、それに限らず、例えば、半導体メモリや磁気テープ等の他の記録媒体であってもよい。要は、複数の記録媒体を提供できればよいのであって、その方法は任意である。従って、例えば光ディスクと半導体メモリを組み合わせる等、１種類の記録媒体である必要もない。なお、本実施の形態では、光ディスクを一例にして説明しているので、当然のことながら、光ディスク以外の記録媒体を用いる場合には、その記録媒体に対応するドライブが設けられる。
【００６７】
書き込み部５６は、コントローラ５１の制御に従って、チェンジャ５９に装填された光ディスク７１に対して、データを書き込む。
【００６８】
読み出し部５７は、コントローラ５１の制御に従って、チェンジャ５９に装填された光ディスク７１からデータを読み出す。
【００６９】
なお、書き込み部５６および読み出し部５７は、例えば、光ディスク用のドライブとして構成される。
【００７０】
管理情報生成部６０は、コントローラ５１の制御に従って、管理情報を生成し、生成した管理情報を、記憶部６１に記憶させる。
【００７１】
ここで、管理情報とは、例えば、コンテンツのタイトル、識別ID、または記録日時等の、コンテンツが書き込まれた光ディスク７１を特定するための情報である。従って、例えば、管理情報生成部６０は、コンテンツの番組情報（メタデータ）に基づいて、管理情報を生成する。また、書き込み部５６は、管理情報生成部６０により生成された管理情報を、チェンジャ５９に装填された光ディスク７１の所定の領域に書き込む。
【００７２】
印刷部５８は、例えばプリンタ等から構成され、コントローラ５１の制御に従って、管理情報生成部６０により生成された管理情報に対応する識別情報を、光ディスク７１のレーベル面（ラベル面）に印刷する。
【００７３】
ここで、識別情報とは、光ディスク７１に書き込まれたコンテンツの内容を、利用者に識別させるための情報である。従って、識別情報は、例えば、番組情報（メタデータ）等からなる管理情報に対応する情報となる。
【００７４】
なお、本実施の形態では、印刷部５８によって、識別情報を、光ディスク７１のレーベル面に印刷する例について説明するが、それに限らず、例えば、光学ドライブ（例えば、書き込み部５６および読み出し部５７を構成するドライブ）のレーザを用いて光ディスクのレーベル面に文字や画像を書き込む技術等を利用してもよい。その場合、光ディスク７１には、その技術に対応する専用の光ディスクが用いられる。要は、記録媒体の所定の領域に対して、その記録媒体の管理情報に対応する識別情報を書き込むことができればよいのであって、その手段や方法は任意である。
【００７５】
以上のように構成されるデータストレージ装置１２においては、書き込み部５６によって、管理情報が光ディスク７１に記録され、印刷部５８によって、識別情報が光ディスク７１のレーベル面に印刷される。また、光ディスク７１に書き込まれた管理情報は、記憶部６１にも記憶される。
【００７６】
次に、図４のフローチャートを参照して、かかる録画機１１とデータストレージ装置１２との間で行われるコンテンツを移動させる処理（以下、コンテンツ移行処理と称する）について説明する。
【００７７】
なお、図４のフローチャートにおいては、ステップＳ１１乃至ステップＳ１４の処理は、録画機１１側で実行される処理を示し、ステップＳ２１乃至ステップＳ３１の処理は、データストレージ装置１２側で実行される処理を示している。
【００７８】
ステップＳ１１において、CPU２１は、蓄積部２６の状態を監視することで、蓄積部２６の記憶容量がリミットに近づいたか否かを判定する。
【００７９】
ステップＳ１１において、蓄積部２６の記憶容量がリミットに近づいていないと判定された場合、リミットに近づいたと判定されるまで、ステップＳ１１の判定処理が繰り返される。すなわち、その間、録画機１１では、例えば、コンテンツを録画する処理等が行われる。
【００８０】
その後、ステップＳ１１において、蓄積部２６の記憶容量がリミットに近づいたと判定された場合、ステップＳ１２において、CPU２１は、蓄積部２６に蓄積されたコンテンツのなかで、アクセス頻度の少ないコンテンツを選択し、そのコンテンツを外部AV出力部３０に供給する。ステップＳ１３において、外部AV出力部３０は、CPU２１の制御に従って、そのアクセス頻度の少ないコンテンツを出力する。
【００８１】
これにより、蓄積部２６の記憶容量がリミットに近づいたとき、アクセス頻度の少ないコンテンツは、録画機１１からデータストレージ装置１２に移行される。
【００８２】
ステップＳ１４において、CPU２１は、蓄積部２６に蓄積されたコンテンツのうち、データストレージ装置１２に移行させたコンテンツを削除し、録画機１１側で行われるコンテンツ移行処理は終了する。
【００８３】
これにより、録画機１１では、アクセス頻度の少ないコンテンツを削除した分だけ、蓄積部２６の記憶容量に余裕ができるので、再びコンテンツを録画することが可能となる。
【００８４】
なお、上述した処理では、アクセス頻度の少ないコンテンツを移行させて、削除するとして説明したが、例えば、利用者の設定等により移行させるコンテンツを決定する等の他の方法を用いてももちろんよい。また、一度に移行させるコンテンツの数であるが、例えば、いわゆる工場出荷時の設定として最適な値を設定しておき、後から利用者により適宜設定を変更させる等の方法により定められる。
【００８５】
続いて、ステップＳ２１において、通信部５４は、コントローラ５１の制御に従って、録画機１１から出力されたコンテンツを取得し、コントローラ５１に供給する。
【００８６】
ステップＳ２２において、コントローラ５１は、取得したコンテンツを、蓄積部５５に蓄積する。これにより、蓄積部５５には、例えば、録画機１１においてアクセス頻度の少ないコンテンツが順次蓄積されていく。
【００８７】
ステップＳ２３において、コントローラ５１は、蓄積部５５の記憶容量がリミットに近づいたか否かを判定する。
【００８８】
ステップＳ２３において、蓄積部５５の記憶容量がリミット近づいていないと判定された場合、リミットが近づいたと判定されるまで、ステップＳ２１乃至ステップＳ２３の処理が繰り返される。すなわち、ステップＳ２１乃至ステップＳ２３の処理が繰り返されることで、蓄積部５５には、録画機１１でアクセス頻度の少なかったコンテンツが順次蓄積され続け、徐々にその空き容量が少なくなる。
【００８９】
そして、コンテンツが順次蓄積されることで、ステップＳ２３において、蓄積部５５の記憶容量がリミットに近づいたと判定された場合、ステップＳ２４において、書き込み部５６は、蓄積部５５に蓄積されたコンテンツを、チェンジャ５９に装填された光ディスク７１1に書き込む。
【００９０】
ステップＳ２５において、管理情報生成部６０は、コンテンツを書き込んだ光ディスク７１1を特定するための管理情報を生成する。
【００９１】
ステップＳ２６において、管理情報生成部６０は、生成した管理情報を記憶部６１に記憶させる。これにより、記憶部６１には、コンテンツを書き込んだ光ディスク７１1に関する管理情報が記憶される。
【００９２】
ステップＳ２７において、書き込み部５６は、生成された管理情報を、チェンジャ５９に装填された光ディスク７１1の所定の領域に書き込む。これにより、光ディスク７１1には、記憶部６１に記憶されている管理情報と同じ管理情報が記録される。
【００９３】
ステップＳ２８において、印刷部５８は、生成された管理情報に対応する識別情報を、チェンジャ５９に装填された光ディスク７１1のレーベル面に印刷する。すなわち、光ディスク７１1のレーベル面には、記憶部６１に記憶された管理情報と、光ディスク７１1に記録された管理情報に対応する識別情報が印刷される。なお、光ディスク７１1のレーベル面に印刷される識別情報は、文字または画像となる。
【００９４】
図５は、識別情報が印刷された光ディスク７１1のレーベル面の例を示す模式図である。
【００９５】
図５において、光ディスク７１1のレーベル面には、「サッカー 日本代表の試合」であるコンテンツのタイトルと、「2005.3.1」であるコンテンツの記録日時が印刷されている。また、図中のハッチングで示されるように、レーベル面は、青色で印刷されている。
【００９６】
このように、光ディスク７１1のレーベル面には、その光ディスク７１1に記録されているコンテンツの識別情報が印刷されるので、利用者は、直感的に、その光ディスク７１1に記録されているコンテンツをイメージすることができる。
【００９７】
図４のフローチャートに戻り、ステップＳ２９において、コントローラ５１は、書き込む必要のある全てのコンテンツを光ディスク７１に書き込んだか否かを判定する。
【００９８】
ステップＳ２９において、まだ書き込む必要のあるコンテンツが残っていると判定された場合、ステップＳ３０において、チェンジャ５９は、装填している複数の光ディスク７１のなかの、既にコンテンツを記録した光ディスク７１1以外の他の光ディスクを選択する。
【００９９】
そして、上述した、ステップＳ２４乃至ステップＳ３０の処理が繰り返されることで、例えば、光ディスク７１2には、光ディスク７１1と同様に、コンテンツと管理情報が書き込まれるとともに、そのレーベル面に識別情報が印刷される。また、データストレージ装置１２には、記憶部６１によって、光ディスク７１2の管理情報が記憶される。
【０１００】
このように、書き込む必要のあるコンテンツがなくなるまで、ステップＳ２４乃至ステップＳ２９の処理を繰り返すことで、さらに、光ディスク７１3、光ディスク７１4、・・・、光ディスク７１nにもコンテンツが書き込まれるとともに、そのレーベル面に識別情報が印刷される。
【０１０１】
そして、ステップＳ２９において、書き込む必要のある全てのコンテンツを光ディスク７１に書き込んだと判定された場合、ステップＳ３１において、コントローラ５１は、蓄積部５５に蓄積されたコンテンツのうち、光ディスク７１に記録し終わったコンテンツを削除し、データストレージ装置１２側で行われるコンテンツ移行処理は終了する。
【０１０２】
これにより、データストレージ装置１２においても、蓄積部５５の記憶容量に余裕ができるので、再びコンテンツを録画することが可能となる。
【０１０３】
なお、ステップＳ２３およびステップＳ２４の処理では、蓄積部５５の記憶容量がリミットに近づいたとき、蓄積していたコンテンツを光ディスク７１に書き込むとして説明したが、それに限らず、例えば、１枚のディスクに効率良く書き込める程度の情報量が貯まったとき、所定の時間が経過したとき、または使用者により所定の操作がされたとき等、コンテンツを光ディスク７１に書き込むタイミングは、記憶容量がリミットに近づいたとき以外の他のタイミングであってもよい。
【０１０４】
また、ステップＳ２９における、書き込む必要のある全てのコンテンツとは、一度に書き込むコンテンツの数である。つまり、一度に書き込むコンテンツの数は、例えば、蓄積部５５に蓄積されている全てのコンテンツの数や、蓄積部５５の記憶容量に応じて予め工場出荷時設定として設定されている数、または利用者により設定される数等となる。
【０１０５】
さらに、光ディスク７１に書き込まれるコンテンツは、例えば、上述した録画機１１におけるコンテンツ移行処理と同様に、アクセス頻度の少ないコンテンツから順に書き込んだり、特定のカテゴリ毎にコンテンツをまとめて書き込んだりすることができる。
【０１０６】
また、ステップＳ３１の処理では、光ディスク７１に書き込み済みのコンテンツを削除する処理を行っているが、所定の条件によっては、このコンテンツを削除する処理を実行しなくてもよい。例えば、データストレージ装置１２において、蓄積部５５の記憶容量に空きがなくなったとき、それ以降のコンテンツについて、光ディスク７１に書き込むような設定になっている場合には、蓄積部５５に蓄積されているコンテンツは削除されないことになる。これについては、録画機１１における、ステップＳ１４の処理でも同様である。
【０１０７】
以上のように、主機としての録画機１１で録画され、蓄積されたコンテンツが所定のタイミングで、副機としてのデータストレージ装置１２に移行される。そして、その副機としてのデータストレージ装置１２側においては、所定のタイミングで、蓄積されているコンテンツが複数の光ディスク７１に書き込まれるが、その際に、その光ディスク７１の管理情報を蓄積すると共に、識別情報を光ディスク７１のレーベル面に印刷する。
【０１０８】
これにより、データストレージ装置１２には、光ディスク７１に記録させたコンテンツに関する管理情報が蓄積され、光ディスク７１には、管理情報が記録されると共に、そのレーベル面に識別情報が印刷されるので、これらの情報を照合することで、所望のコンテンツを迅速に見つけ出すことができ、ひいては、コンテンツの管理を容易にすることができる。
【０１０９】
また、複数の光ディスク７１にコンテンツが記録されるので、例えば、HDD等の機器の増設なしに、容量を増やすことができる。これにより、電気代を節約できる。
【０１１０】
ところで、光ディスク７１に関する管理情報を記憶しているデータストレージ装置１２では、その管理情報を用いて、コンテンツが書き込まれた光ディスク７１に関する情報を、利用者に提示することができる。
【０１１１】
そこで、次に、図６のフローチャートを参照して、データストレージ装置１２により実行される、光ディスク７１に書き込まれたコンテンツを検索する処理（以下、コンテンツ検索処理と称する）について説明する。
【０１１２】
ステップＳ５１において、コントローラ５１は、入力部５２から供給される操作信号に基づいて、利用者によって、光ディスク７１の検索が指示されたか否かを判定する。
【０１１３】
ステップＳ５１において、光ディスク７１の検索が指示されていないと判定された場合、検索が指示されるまで、ステップＳ５１の判定処理が繰り返される。すなわち、その間、データストレージ装置１２では、例えば、上述した、コンテンツ移行処理等が行われる。
【０１１４】
その後、ステップＳ５１において、光ディスク７１の検索が指示されたと判定された場合、ステップＳ５２において、コントローラ５１は、記憶部６１に記憶された管理情報を読み出す。
【０１１５】
コントローラ５１は、ステップＳ５３において、読み出した管理情報のなかから、使用者により指示された検索条件に一致する管理情報を検索し、ステップＳ５４において、検索された管理情報に基づいたコンテンツ検索結果画面を、表示部５３に表示させて、コンテンツ検索処理は終了する。
【０１１６】
図７は、コンテンツ検索結果画面の構成例を示す模式図である。
【０１１７】
図７のコンテンツ検索結果画面１０１は、利用者により、検索条件として、例えば、「サッカー」が入力され、検索の実行が指示されたときの検索結果を表わしている。
【０１１８】
図７に示すように、その検索結果を表わしているコンテンツ検索結果画面１０１において、２行目には、タイトルが「日本 vs ブラジル」であって、2004年12月19日に録画され、識別IDとして、「１」が付されたコンテンツ（以下、コンテンツ１と称する）に関する情報が表示される。また、このコンテンツ１を記録している光ディスク７１のレーベル面の色（ラベルの色）は、黄であることが示されている。
【０１１９】
同様にまた、３行目には、タイトルが「サッカー 日本代表の試合」であって、2005年3月1日に録画され、識別IDとして、「１１」が付されたコンテンツ（以下、コンテンツ１１と称する）の情報が表示され、そのコンテンツ１１は、レーベル面が青の光ディスク７１に記録されていることを示している。
【０１２０】
さらに、４行目には、タイトルが「ワールドカップ」であって、2006年6月15日に録画され、識別IDとして、「１５」が付されたコンテンツ（以下、コンテンツ１５と称する）の情報が表示され、そのコンテンツ１５は、レーベル面が緑の光ディスク７１に記録されていることを示している。
【０１２１】
４行目から複数行下には、タイトルが「日本リーグ 第5節」であって、2007年4月25日に録画され、識別IDとして、「５３」が付されたコンテンツ（以下、コンテンツ５３と称する）が表示され、そのコンテンツ５３は、レーベル面が赤の光ディスク７１に記録されていることを示している。
【０１２２】
このように、コンテンツ検索結果画面１０１には、「サッカー」であるキーワードを含んでいるコンテンツであって、光ディスク７１に書き込まれたコンテンツとして、コンテンツ１、コンテンツ１１、コンテンツ１５、・・・、コンテンツ５３がリストとして表示される。そして、利用者は、このリストのなかから、所望のコンテンツを探し出すことができる。その際、リストに表示されているコンテンツを記録している光ディスク７１のレーベル面には、そのリストの情報に対応する識別情報が印刷されているので、利用者はレーベル面の識別情報を確認することで、所望のコンテンツを識別できる。
【０１２３】
例えば、利用者は、コンテンツ１１を見たい場合には、レーベル面が青に印刷され、さらに、「サッカー 日本代表の試合」であるタイトル、「2005年3月1日」である記録日時等が印刷された光ディスク７１を探し出すことになる。そして、利用者は、レーベル面の色や文字を頼りにして直感的に、所望のコンテンツを記録した図５の光ディスク７１1を見つけることができる。
【０１２４】
以上のように、データストレージ装置１２に蓄積されている管理情報と、光ディスク７１のレーベル面に印刷されている識別情報とがリンクしているので、データストレージ装置１２によって管理情報が提示されることで、利用者は、その提示された管理情報と一致する識別情報が印刷された光ディスク７１を迅速に探し出すことができる。
【０１２５】
ところで、上述したように、管理情報は光ディスク７１にも記録されており、その管理情報を利用することも可能である。
【０１２６】
次に、図８のフローチャートを参照して、光ディスク７１がチェンジャ５９に装填されたときに実行される処理（以下、光ディスク装填時処理と称する）について説明する。
【０１２７】
ステップＳ７１において、コントローラ５１は、光ディスク７１がチェンジャ５９に装填されたか否かを判定する。
【０１２８】
ステップＳ７１において、光ディスク７１がチェンジャ５９に装填されていないと判定された場合、光ディスク７１が装填されるまで、ステップＳ７１に戻り、判定処理が繰り返される。すなわち、その間、データストレージ装置１２では、例えば、上述した、コンテンツ移動処理や、コンテンツ検索処理等が行われる。
【０１２９】
その後、ステップＳ７１において、光ディスク７１が装填されたと判定された場合、読み出し部５７は、光ディスク７１に記録された管理情報を読み出す。
【０１３０】
ステップＳ７３において、コントローラ５１は、読み出された管理情報に対応する画面を、表示部５３に表示させて、光ディスク装填時処理は終了する。
【０１３１】
なお、本実施の形態では、光ディスク７１に記録された管理情報を利用方法として、その管理情報に対応する画面を表示させる方法を例示したが、それ以外の用途に用いることももちろん可能である。例えば、データストレージ装置１２は、光ディスク７１に記録された管理情報を読み出すことで、現在、チェンジャ５９に装填されている複数の光ディスク７１にどのようなコンテンツが記録されているかの画面を表示できる。
【０１３２】
以上のように、本発明によれば、コンテンツの管理を容易にして、所望のコンテンツを迅速に見つけることができる。
【０１３３】
また、本発明によれば、HDD等の蓄積部５５の記憶容量を超えた情報を、光ディスク７１に移しこみ、その光ディスク７１を管理するための識別情報を印刷することで、機器を増設することなく、簡単に記憶容量を増やすことができる。また、使用者は、光ディスク７１がチェンジャ５９から排出されたとしても、機器側で管理されている管理情報と、光ディスク７１に印刷されている識別情報を確認することで、迅速かつ簡単に、目的とする情報にアクセスすることができる。
【０１３４】
上述した一連の処理は、ハードウェアにより実行させることもできるし、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータ等に、プログラム記録媒体からインストールされる。
【０１３５】
図９は、上述した一連の処理をプログラムにより実行するパーソナルコンピュータの構成の例を示すブロック図である。CPU２１１は、ROM２１２、または記録部２１８に記録されているプログラムに従って各種の処理を実行する。RAM２１３には、CPU２１１が実行するプログラムやデータ等が適宜記憶される。これらのCPU２１１、ROM２１２、およびRAM２１３は、バス２１４により相互に接続されている。
【０１３６】
CPU２１１にはまた、バス２１４を介して入出力インターフェース２１５が接続されている。入出力インターフェース２１５には、マイクロホン等よりなる入力部２１６、ディスプレイ、スピーカ等よりなる出力部２１７が接続されている。CPU２１１は、入力部２１６から入力される指令に対応して各種の処理を実行する。そして、CPU２１１は、処理の結果を出力部２１７に出力する。
【０１３７】
入出力インターフェース２１５に接続されている記録部２１８は、例えばHDDからなり、CPU２１１が実行するプログラムや各種のデータを記録する。通信部２１９は、インターネットやローカルエリアネットワーク等のネットワークを介して外部の装置と通信する。
【０１３８】
また、通信部２１９を介してプログラムを取得し、記録部２１８に記録してもよい。
【０１３９】
入出力インターフェース２１５に接続されているドライブ２２０は、磁気ディスク、光ディスク、光磁気ディスク、或いは半導体メモリ等のリムーバブルメディア２２１が装着されたとき、それらを駆動し、そこに記録されているプログラムやデータ等を取得する。取得されたプログラムやデータは、必要に応じて記録部２１８に転送され、記録される。
【０１４０】
コンピュータにインストールされ、コンピュータによって実行可能な状態とされるプログラムを格納するプログラム記録媒体は、図９に示すように、磁気ディスク（フレキシブルディスクを含む）、光ディスク（CD-ROM,DVDを含む）、光磁気ディスク、もしくは半導体メモリ等よりなるパッケージメディアであるリムーバブルメディア２２１、または、プログラムが一時的もしくは永続的に格納されるROM２１２や、記録部２１８を構成するHDD等により構成される。プログラム記録媒体へのプログラムの格納は、必要に応じてルータ、モデム等のインターフェースである通信部２１９を介して、ローカルエリアネットワーク、インターネット、デジタル衛星放送といった、有線または無線の通信媒体を利用して行われる。
【０１４１】
なお、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１４２】
また、本明細書において、システムとは、複数の装置により構成される装置全体を表すものである。
【０１４３】
さらに、本発明の実施の形態は、上述した実施の形態に限定されるものではなく、本発明の要旨を逸脱しない範囲において種々の変更が可能である。
【図面の簡単な説明】
【０１４４】
【図１】本発明を適用したコンテンツ記録再生システムの一実施の形態の構成を示すブロック図である。
【図２】録画機の構成の例を示すブロック図である。
【図３】データストレージ装置の構成の例を示すブロック図である。
【図４】コンテンツ移行処理について説明するフローチャートである。
【図５】光ディスクに印刷された識別情報の例を示す模式図である。
【図６】コンテンツ検索処理について説明するフローチャートである。
【図７】コンテンツ検索結果画面の例を示す模式図である。
【図８】光ディスク装填時処理について説明するフローチャートである。
【図９】本発明が適用される情報処理をソフトウェアで実行するコンピュータの構成を示すブロック図である。
【符号の説明】
【０１４５】
１  コンテンツ記録再生システム，  １１  録画機，  １２  データストレージ装置，  １４  表示装置，  ５１  コントローラ，  ５２  入力部，  ５３  表示部，  ５４  通信部，  ５５  蓄積部，  ５６  書き込み部，  ５７  読み出し部，  ５８  印刷部，  ５９  チェンジャ，  ６０  管理情報生成部，  ６１  記憶部，  ７１  光ディスク
【図１】
2009026025.tif 000003
【図２】
2009026025.tif 000004
【図３】
2009026025.tif 000005
【図４】
2009026025.tif 000006
【図５】
2009026025.tif 000007
【図６】
2009026025.tif 000008
【図７】
2009026025.tif 000009
【図８】
2009026025.tif 000010
【図９】
2009026025.tif 000011